(57)【特許請求の範囲】
【請求項１】
複数本の絶縁電線を撚り合わせてなるケーブルの端末部に接続されるコネクタに取り付けられるコネクタ用のカバーであって、
前記ケーブルの端末部に外嵌可能なケーブル保持部と、
前記複数本の絶縁電線のうちアース用の電線をアース側へ屈曲したときに、その屈曲されたアース用電線の復元方向に配されて同アース用電線を屈曲状態に保持するアース線保持壁と、を備え、
前記アース線保持壁と前記ケーブル保持部との間のスペースは、屈曲された前記アース用電線が収容されるアース線収容部とされており、このアース線収容部は前記アース用電線を側方から収容可能に開放され、
このアース線収容部の開放側を塞ぐ蓋部が備えられていることを特徴とするコネクタ用のカバー。
【請求項２】
前記ケーブル保持部は前記ケーブルの端末部に外嵌可能な筒状をなすとともに同ケーブル保持部は前記ケーブルを側方から嵌め込み可能に開放された形状をなし、
前記蓋部は前記ケーブル保持部の開放部分と前記アース線収容部の開放部分とをともに塞ぐ大きさとされ、前記蓋部には、前記ケーブル保持部の開放部分と前記アース線収容部の開放部分との並び方向に延びる補強リブが設けられていることを特徴とする請求項１に記載のコネクタ用のカバー。
【請求項３】
前記補強リブは、前記蓋部のうち、前記ケーブル保持部および前記アース線収容部からの前記ケーブルおよび前記アース用電線の導出方向側の端縁部に形成されていることを特徴とする請求項２に記載のコネクタ用のカバー。
【請求項４】
前記蓋部と前記アース線保持壁とには互いに係合することにより前記蓋部を閉じ状態にロックするロック部が設けられ、
前記ロック部は、前記アース線収容部に収容されるアース用電線の延び方向に連続する形態をなすことを特徴とする請求項１ないし請求項３のいずれか１項に記載のコネクタ用のカバー。
【請求項５】
前記蓋部または前記アース線保持壁には、前記ロック部に対して前記アース用電線の長さ方向に隣接する突起部が設けられていることを特徴とする請求項４に記載のコネクタ用のカバー。
【請求項６】
前記電線のうち前記コネクタから前記ケーブル保持部までの間に配される部分を折り返し状態にする仕切り壁が設けられていることを特徴とする請求項１ないし請求項５のいずれか１項に記載のコネクタ用のカバー。
【請求項７】
複数本の絶縁電線を撚り合わせてなるケーブルの端末部に接続されるコネクタと、
請求項１ないし請求項６のいずれか１項に記載のコネクタ用のカバーと、
を備えることを特徴とするカバー付きコネクタ。
【請求項８】
複数本の絶縁電線を撚り合わせてなるケーブルと、
前記ケーブルの端末部に接続されるコネクタと、
請求項１ないし請求項６のいずれか１項に記載のコネクタ用のカバーと、
を備えることを特徴とするカバー付きコネクタ。
【発明の詳細な説明】
【技術分野】
【０００１】
本発明は、複数本の絶縁電線を撚り合わせてなるケーブルの端末部に接続されるコネクタ用のカバーおよびカバー付きコネクタに関する。
【背景技術】
【０００２】
複数本の絶縁電線を撚り合わせてなるケーブルの端末部に接続されるコネクタとして、例えば特許文献１に記載のものが知られている。このコネクタは、２本の電線が撚り合わされてなる２芯ケーブルに接続されるものであり、各電線の端末部に圧着された端子をそれぞれ収容可能なコネクタハウジングを備えている。
このコネクタハウジングは、後方から端子を挿入可能とされ、その後端部（端子の挿入口側の端部）にはカバーが取り付けられている。このカバーにより電線のうちコネクタハウジングから後方へ引き出されている部分は、Ｕ字状に折り返されて前方へ誘導されている。このカバーは、ケーブルを所定の方向へ誘導するため、また飛び石等からコネクタを保護するために取り付けられている。
【特許文献１】特開平１０−５５８４９号公報
【発明の開示】
【発明が解決しようとする課題】
【０００３】
ところで、上記のようなコネクタにおいても、場合によってはシールド機能を備えることが求められる。そこで、特にコネクタをシールドコネクタに変更等せず、既存のコネクタを用いて簡易にシールド機能を備えさせたいという要望がある。
本発明は上記のような事情に基づいて完成されたものであって、シールドを簡易に行うことが可能なコネクタ用のカバーおよびカバー付きコネクタを提供することを目的とする。
【課題を解決するための手段】
【０００４】
本発明のコネクタ用のカバーは、複数本の絶縁電線を撚り合わせてなるケーブルの端末部に接続されるコネクタに取り付けられるコネクタ用のカバーであって、前記ケーブルの端末部に外嵌可能なケーブル保持部と、前記複数本の絶縁電線のうちアース用の電線をアース側へ屈曲したときに、その屈曲されたアース用電線の復元方向に配されて同アース用電線を屈曲状態に保持するアース線保持壁と、を備え、前記アース線保持壁と前記ケーブル保持部との間のスペースは、屈曲された前記アース用電線が収容されるアース線収容部とされており、このアース線収容部は前記アース用電線を側方から収容可能に開放され、このアース線収容部の開放側を塞ぐ蓋部が備えられているものである。
このような構成によれば、アース用の電線は、カバーに備えられたアース線保持壁によって、アース側に屈曲された状態に保持される。そして、そのアース用電線をアース側に接続することによりノイズの除去を実現できるから、特にコネクタの構造を変更等する必要はなく、シールドを簡易に行うことが可能となる。
【０００５】
また、アース線収容部に側方からアース用電線を収容した後、蓋部によってアース線収容部の開放側を塞ぐことにより、アース用電線が開放側へ逃げてしまうことを防ぐことができる。これにより、確実にアース用電線をアース側へ屈曲した状態に保持することができる。
【０００６】
また、前記ケーブル保持部は前記ケーブルの端末部に外嵌可能な筒状をなすとともに同ケーブル保持部は前記ケーブルを側方から嵌め込み可能に開放された形状をなし、前記蓋部は前記ケーブル保持部の開放部分と前記アース線収容部の開放部分とをともに塞ぐ大きさとされ、前記蓋部には、前記ケーブル保持部の開放部分と前記アース線収容部の開放部分との並び方向に延びる補強リブが設けられているものとしてもよい。この補強リブにより蓋部が補強されるから、蓋部はケーブルとアース用電線とから受ける力に対して耐えうるものとなる。
【０００７】
また、前記補強リブは、前記蓋部のうち、前記ケーブル保持部および前記アース線収容部からの前記ケーブルおよび前記アース用電線の導出方向側の端縁部に形成されているものとしてもよい。これにより、蓋部のうち、ケーブル保持部およびアース線収容部からのケーブルおよびアース用電線の導出方向側の端縁部、すなわちケーブルやアース用電線からの力を大きく受ける部分の強度が高められる。このように、ケーブルやアース用電線からの力が大きく作用する部分に補強リブを設けたから、例えば、蓋部全体を補強する場合に比べて、効率よく蓋部の強度を高めることができる。
【０００８】
また、前記蓋部と前記アース線保持壁とには互いに係合することにより前記蓋部を閉じ状態にロックするロック部が設けられ、前記ロック部は、前記アース線収容部に収容されるアース用電線の延び方向に連続する形態をなすものとしてもよい。これにより、アース線収容部に収容されたアース用電線の延び方向に連続してロック部が係合した状態になるから、例えば、蓋部が撓むようにして開いてしまうことを防止できる。
【０００９】
また、前記蓋部または前記アース線保持壁には、前記ロック部に対して前記アース用電線の長さ方向に隣接する突起部が設けられているものとしてもよい。これにより、ロック部がアース用電線の長さ方向にずれようとすると、隣接する突起部がロック部に当接し、その位置のずれを規制する。したがって、蓋部の位置ずれに起因するロックの解除を防止することができる。
【００１０】
また、前記電線のうち前記コネクタから前記ケーブル保持部までの間に配される部分を折り返し状態にする仕切り壁が設けられているものとしてもよい。このような構成によれば、カバー内における電線の取り回しを行いやすい。
【００１１】
本発明のカバー付きコネクタは、複数本の絶縁電線を撚り合わせてなるケーブルの端末部に接続されるコネクタと、前記コネクタ用のカバーと、を備える。
【００１２】
本発明のカバー付きコネクタは、複数本の絶縁電線を撚り合わせてなるケーブルと、前記ケーブルの端末部に接続されるコネクタと、前記コネクタ用のカバーと、を備える。
【発明の効果】
【００１３】
本発明によれば、シールドを簡易に行うことが可能なコネクタ用のカバーおよびカバー付きコネクタを提供することができる。
【発明を実施するための最良の形態】
【００１４】
＜実施形態１＞
以下、本発明の実施形態１を図１〜図９によって説明する。
本実施形態のカバー付きコネクタは、複数本の絶縁電線１１を撚り合わせてなるケーブル１０の端末部に接続されるコネクタ２０と、このコネクタ２０に取り付けられるカバー４０とを備えている。コネクタ２０は、例えば、自動車のエンジンルーム内の配線に用いられるものであり、カバー４０は、洗車用の高圧洗浄水や走行時の飛石等からコネクタ２０を保護するために取り付けられるものである。
【００１５】
ケーブル１０は、４本の電線１１を撚り合わせたものに被覆チューブ１２を被せてなり、電線１１は被覆チューブ１２によって飛び石等の衝撃から保護されている。４本の電線１１のうち２本の電線１１Ａは、図示しない相手側コネクタと電気的に接続されるものであり、その端末部には相手側コネクタと接続可能な端子１３が圧着されている。また、それ以外の２本の電線１１は、アース側（ボディ等）に接続されるアース用電線１１Ｂであって、その端末にはアース端子（図示せず）が圧着されている。
【００１６】
コネクタ２０は、硬質合成樹脂製のハウジング２１を備えている。このハウジング２１は、端子１３を収容可能な端子収容部２２と、端子収容部２２の周りを囲うフード部２３とからなるものである。フード部２３は、端子収容部２２の前後方向中央位置よりも若干後側寄りの位置において連設部２４を介して端子収容部２２と連設されている。端子収容部２２とフード部２３との間には、図示しない相手側コネクタが嵌合可能とされ、端子収容部２２に設けられたロックアーム２５の係合孔２６に、相手側コネクタに設けられた突起（図示せず）が係合することにより、両コネクタが嵌合状態にロックされる。なお、端子収容部２２の外周面には防水リング２７が嵌着され、この防水リング２７により相手側コネクタとの間の防水が図られる。
【００１７】
端子収容部２２には、後方から端子１３を挿入可能な２つのキャビティ２８が形成されている。各端子１３は、端子収容部２２の後端面に開口された挿入口２９からそれぞれキャビティ２８内に挿入され、各端子１３が圧着された電線１１Ａは、挿入口２９から後方へ引き出された状態になる。なお、各端子１３には、電線１１Ａとともにゴム栓３１が圧着されており、このゴム栓３１により挿入口２９における防水が図られている。
【００１８】
コネクタ２０の後端部に取り付けられるカバー４０は硬質合成樹脂製であって、全体として前方に開口する略箱状をなしている。カバー４０は、ハウジング２１から引き出された電線１１Ａを屈曲させた状態で内部に収容する電線カバー部４１と、ハウジング２１の外周を覆って保護するハウジングカバー部４２とを備えている。ハウジングカバー部４２は、電線カバー部４１から側方および前方へ突出する形態とされている。
【００１９】
電線カバー部４１は、ハウジング２１の後端面（端子収容部２２の後端面）と対向して配される対向壁４３と、この対向壁４３からハウジング２１の側方へ突出する側壁４４とを備えている。電線カバー部４１の両側壁４４には、ハウジング２１の端子収容部２２に設けられた係止突起３２が係止可能な係止溝４５が形成されており、これらの係止によりコネクタ２０に対するカバー４０の固定がなされる（図３および図７）。
【００２０】
電線カバー部４１には、電線１１のうち電線カバー部４１の内部に収容された部分を折り返し状態にする仕切り壁４６が設けられている。仕切り壁４６は、対向壁４３の下端縁から前方へ突出する形状をなし、その突出端は、ハウジングカバー部４２内に達している。また、仕切り壁４６は、カバー４０がコネクタ２０に取り付けられた状態において、仕切り壁４６の突出端とハウジング２１のフード部２３の後端との間に所定の間隔（対向壁４３とハウジング２１の後端面との間の間隔とほぼ等しいか、それよりも若干大きい間隔）が空けられる設定とされている。なお、仕切り壁４６の両側縁には、上方へ立ち上がる一対の立上り部４７が設けられている。立上り部４７の高さ寸法は、その立ち上がり端の位置が、カバー４０がコネクタ２０に取り付けられた状態において、ハウジング２１の端子収容部２２の下面の位置とほぼ等しい位置になる設定とされている。
【００２１】
カバー４０には、ケーブル１０の端末部に外嵌可能なケーブル保持部４８が備えられている。ケーブル保持部４８は、仕切り壁４６の下面から垂下する形態をなし、前後方向に開口する略円筒状をなすとともに、前後にわたって下方へ開放された形状をなしている。そして、ケーブル保持部４８には、下方からケーブル１０を嵌め込み可能とされ、ケーブル保持部４８に嵌め込まれたケーブル１０は後方へ誘導された状態になる。ケーブル保持部４８は、ケーブル１０のうち被覆チューブ１２の端末部に外嵌するものとされ、これにより被覆チューブ１２の端末部の位置がずれて電線１１がむき出しになることが防止される。なお、ケーブル保持部４８の前後方向の寸法は、仕切り壁４６の前後方向寸法よりも小さい寸法とされ、言い換えると、仕切り壁４６はケーブル保持部４８よりも前方へ突出している。
【００２２】
カバー４０には、アース用電線１１Ｂをアース側（本実施形態においては相手側コネクタとの接続位置よりも後側）へ屈曲したときに、そのアース用電線１１Ｂを屈曲状態に保持するアース線保持壁４９が備えられている。
アース線保持壁４９は、ケーブル保持部４８の両外側（ケーブル保持部４８の側方に屈曲されたアース用電線１１Ｂの復元側）に配されている。アース線保持壁４９は、カバー４０の前端部を除いて前後にわたる部分（電線カバー部４１の後端からハウジングカバー部４２の前端寄りの位置にわたる部分）に形成されている。アース線保持壁４９は、電線カバー部４１およびハウジングカバー部４２の下面から下方へ垂下され、前後方向に連続する壁状をなしている。
【００２３】
ケーブル保持部４８とアース線保持壁４９との間のスペースは、屈曲されたアース用電線１１Ｂを収容するアース線収容部５１とされている。アース線収容部５１は、前後および下方へ開放されており、下方からアース用電線１１Ｂが収容可能とされている。アース線収容部５１の上下左右の幅寸法は、アース用電線１１Ｂの外形寸法よりも一回り大きい寸法とされている。
【００２４】
カバー４０には、アース線収容部５１およびケーブル保持部４８の開放側（下側）を塞ぐ蓋部５２が備えられている。蓋部５２は、アース線保持壁４９のうち右側（図２の右側）のアース線保持壁４９Ｒとヒンジ５３を介して連結されている。ヒンジ５３は前後方向に長く、蓋部５２のうち前後方向両端部を除く部分にわたって設けられている。
【００２５】
蓋部５２は全体として前後方向に若干長い略長方形の板状をなし、その前後方向の幅寸法は、前端縁がハウジングカバー部４２の前端縁の位置よりも若干後方に位置するとともに、後端縁が電線カバー部４１の後端縁とほぼ一致する寸法とされている。また、蓋部５２の幅方向寸法は、その幅方向両端縁が両アース線保持壁４９の外縁とほぼ一致する寸法とされている（図６参照）。
【００２６】
蓋部５２とアース線保持壁４９とには、互いに係合することにより蓋部５２を閉じ状態にロックするロック部が設けられている。ロック部は、蓋部５２に設けられたロック片５４と、アース線保持壁４９に設けられたロック突条５５とから構成されている。
【００２７】
ロック片５４は、蓋部５２の上面（蓋部５２を閉じ状態にしたときの内側の面）に幅方向に一対設けられ、蓋部５２の両側縁から若干内側の位置において、片持ち状をなして立ち上がる形状をなしている。両ロック片５４は、互いに対向方向に弾性変位可能とされ、その突出端部は互いに背あわせ方向に突出する形状をなす係合部５６とされている。両ロック突条５５には、ロック片５４の係合部５５が上方からそれぞれ係合する。
【００２８】
ロック突条５５は、両アース線保持壁４９Ｒ，４９Ｌの下端部にそれぞれ設けられ、各アース線保持壁４９の下端縁から内側（ケーブル保持部４８側）へ突出する形状をなしている。
【００２９】
ロック片５４およびロック突条５５はともに前後方向に長い形状をなし、すなわち、ロック部は、前後方向（アース線収容部５１に収容されるアース用電線１１Ｂの延び方向）に連続する形態とされている。
【００３０】
そして、右側の（ヒンジ５３が連設されている側とは反対側）のロック部は、左側（ヒンジ５３が連設されている側）のロック部よりも大きい形状とされている。これにより、蓋部５２を回動する際、左側のロック部は右側のロック部に比べてロック片５４がロック突条５５を乗り越えやすく、蓋部５２の閉じ状態においては、右側のロック部は左側のロック部よりも係合力が大きいものとされている。
【００３１】
両アース線保持壁４９Ｒ，４９Ｌにおけるロック突条５５の前後４箇所には、ロック突条５５よりも内側に突出する突起部５７が設けられている。突起部５７は、ロック突条５５に係合したロック片５４の係合部５６に対して前後（アース用電線１１Ｂの長さ方向）に隣接して配される。
【００３２】
そして、左側のアース線保持壁４９Ｌには、補強部５８が設けられている。補強部５８は、アース線保持壁４９Ｌの前端部に設けられ、アース線保持壁４９Ｌの左側面とハウジングカバー部４２の側面とにわたる形状をなしている（図２参照）。これにより、左側のアース線保持壁４９Ｌの根元部分の強度が高められ、ロック部の係合および解除を繰り返し行っても十分耐えうるものとなり、ロック状態（カバー４０の閉じ状態）が確実に保持される。
【００３３】
次に、コネクタ２０へのカバー４０の取り付けについて説明する。
まず、４芯ケーブル１０の２本の電線１１Ａに圧着された端子１３を、ハウジング２１の後方から各キャビティ２８内に挿入する。端子１３がハウジング２１内に収容された状態では、２本の電線１１Ａは挿入口２９から後方へ引き出された状態になる。このとき、２本のアース用電線１１Ｂの端末部分は、被覆チューブ１２の端部から外部へ引き出されている。なお、被覆チューブ１２内においては、４本の電線１１は撚り合わされた状態になっている。
【００３４】
次に、蓋部５２を開いた状態にして、電線カバー部４１内に電線１１Ａを屈曲させて収めつつ、カバー４０をハウジング２１に接近させる。そして、ハウジングカバー部４２の係止溝４５と端子収容部２２の係止突起３２とが係合する位置までカバー４０を押し込むと、ハウジング２１の後端面から後方へ引き出された電線１１Ａは、電線カバー部４１の対向壁４３の前側でＵ字状に屈曲され、仕切り壁４６の上側を前方に延出するとともに、仕切り壁４６の前端とフード部２３の後端との間の開口から下方へ引き出された状態になる。なお、電線１１Ａのうち仕切り壁４６の上側に配される部分は、立上り部４７により両側方への変位を規制され、また端子収容部２２の下面により上方への変位を規制された状態になっている。
【００３５】
次に、仕切り壁４６とフード部２３の後端との間から下方へ引き出された電線１１Ａを、仕切り壁４６の下側に沿わせるように折り曲げ、被覆チューブ１２の端末部をケーブル保持部４８に下方から嵌め込む。すると、電線１１は、仕切り壁４６の前側においてＵ字状に屈曲し、ケーブル保持部４８からケーブル１０が後方へ誘導された状態に保持される。このとき、仕切り壁４６の前端とフード部２３の後端との間には、電線１１ＡのＵ字部分が余裕をもって配される大きさの開口寸法が確保されているから、開口が狭すぎて電線１１Ａが仕切り壁またはフード部に接触等することはなく、電線１１Ａの取り回しが容易である。
【００３６】
次いで、アース用電線１１Ｂのうち被覆チューブ１２からの延出部分をそれぞれアース線収容部５１に収容する。具体的には、２本のアース用電線１１Ｂをケーブル保持部４８の下側方に屈曲しつつ上方へ持ち上げて下方からアース線収容部５１に差し入れ、アース用電線１１Ｂがアース線収容部５１を後方に挿通した状態にする（図９参照）。そして、蓋部５２を回動させて閉じ状態にすると、ケーブル保持部４８およびアース線収容部５１の開放部分が蓋部５２によって塞がれ、ケーブル１０はケーブル保持部４８から後方に引き出された状態に、アース用電線１１Ｂはアース線収容部５１から後方に引き出された状態に保持される。
そして、カバー４０が取り付けられたコネクタ２０を使用する際、アース用電線１１Ｂのアース端子をアース側に接続することにより、ケーブル１０のノイズが除去される。
【００３７】
以上説明したように実施形態１によれば、コネクタ２０にカバー４０を取り付けることにより、そのカバー４０のアース線保持壁４９によって、アース用電線１１Ｂはアース側に屈曲された状態に保持される。そして、アース用電線１１Ｂをアース側に接続することにより、ノイズの除去を実現することができる。したがって、特にコネクタ２０の構造を変更等する必要がなく、シールドを簡易に行うことができる。
【００３８】
また、仕切り壁４６は、コネクタ２０の外面（フード部２３の後端）との間に、電線１１の折り返しを容易に行うことができる間隔を確保する大きさに設定されているから、カバー４０内における電線１１の取り回しを容易に行うことができる。
また、アース線収容部５１に下方からアース用電線１１Ｂを収容した後、蓋部５２によってアース線収容部５１の下側を塞ぐことにより、アース用電線１１Ｂが下側へ逃げてしまうことを防ぐことができる。これにより、確実にアース用電線１１Ｂをアース側へ屈曲した状態に保持することができる。
【００３９】
さらに、蓋部５２を閉じ状態に保持するロック部は、アース線収容部５１に収容されたアース用電線１１Ｂの延び方向に連続して係合した状態になる。ここで、例えばロック部が間欠的に係合している場合には、アース用電線１１Ｂまたはケーブル１０から受ける力によって蓋部のうちロック部が係合していない部分が撓んで開いてしまうおそれがある。しかしながら、本願発明の構成によれば、そのような蓋部５２の開きを防止することができる。
【００４０】
さらに、カバー４０に作用する力により、ロック片５４がロック突条５５に対して前後方向にずれようとすると、ロック片５４の係合部５６が隣接する突起部５７に当接し、それ以上の位置のずれが規制される。これにより、蓋部５２の位置ずれに起因する不用意なロックの解除を防止することができる。
【００４１】
＜実施形態２＞
次に、本発明の実施形態２に係るカバー付きコネクタを図１０〜図１２によって説明する。
本実施形態のカバー付きコネクタは、カバー４０の蓋部６０に補強リブ６１を設けた点で、実施形態１とは相違する。なお、実施形態１と同様の構成には同一符号を付して重複する説明を省略する。
【００４２】
本実施形態に係るカバー付きコネクタは、実施形態１と同様に、ケーブル１０の端末部に接続されるコネクタ２０と、このコネクタ２０に取り付けられるカバー４０とを備えている。
【００４３】
カバー４０は、実施形態１と同様、ハウジング２１から引き出された電線１１を屈曲させて内部に収容する電線カバー部４１と、ハウジング２１の外周を覆って保護するハウジングカバー部４２とを備えている。また、電線カバー部４１には、電線１１を折り返し状態にする仕切り壁４６が設けられ、仕切り壁４６の下面にはケーブル１０の端末部に外嵌可能なケーブル保持部４８が備えられている。そして、ケーブル１０保持壁の両外側にはアース線保持壁４９が垂下され、ケーブル保持部４８とアース線保持壁４９との間のスペースは、屈曲されたアース用電線１１Ｂが収容されるアース線収容部５１とされている。
【００４４】
カバー４０には、アース線収容部５１およびケーブル保持部４８の開放側（下側）を塞ぐ蓋部６０が備えられている。蓋部６０は、実施形態１と同様、ヒンジ５３を介して右側のアース線保持壁４９Ｒと連結されている。また、蓋部６０とアース線保持壁４９とには、互いに係合することにより蓋部６０を閉じ状態にロックするロック部が設けられている。
【００４５】
さて、蓋部６０には、補強リブ６１が設けられている。補強リブ６１は、蓋部６０の後端縁部（ケーブル保持部４８およびアース線収容部５１からのケーブル１０およびアース用電線１１Ｂの導出方向側の端縁部）に沿って設けられている。補強リブ６１は、蓋部６０の左右両側縁にわたる形状をなし、蓋部６０の幅方向（ケーブル保持部４８の開放部分とアース線収容部５１の開放部分との並び方向）に長い形状をなしている。補強リブ６１は、蓋部６０の下面（蓋部６０を閉じた状態でケーブル１０およびアース用電線１１Ｂが配される側とは反対側の面）から下方へ突出する形状をなしている。なお、補強リブ６１の後面は前方へ向かって突出寸法が少しずつ大きくなる傾斜をなし、また左右両側面は突出端側へ向かって互いに接近する傾斜をなしている。
【００４６】
このように実施形態２においては、蓋部６０に補強リブ６１が設けられることにより、その分強度が高められている。したがって、ケーブル１０またはアース用電線１１Ｂが振動等により変位し、それにより蓋部６０が押圧されたとしても、蓋部６０の破損等を防止することができる。また、蓋部６０は、補強リブ６１が設けられることにより変形しにくくなっているから、蓋部６０の変形に伴う不用意なロックの解除を防ぐことができる。
【００４７】
さらに、補強リブ６１は、蓋部６０のうちケーブル１０やアース用電線１１Ｂからの力を大きく受ける部分（後端縁部）に設けられている。このような部分に補強リブ６１を設けることにより、例えば、蓋部全体を補強する場合に比べてカバーの大型化を防ぐことができ、効率よく蓋部の強度向上を実現することができる。
【００４８】
＜他の実施形態＞
本発明は上記記述及び図面によって説明した実施形態に限定されるものではなく、例えば次のような実施形態も本発明の技術的範囲に含まれる。
【００４９】
（１）上記実施形態によれば、４芯ケーブル１０を用いてそのうち２本の電線１１Ａを相手側コネクタと接続するものとし、それ以外の２本の電線１１Ｂをアース用電線１１Ｂとしたが、これに限らず、例えば３芯ケーブルを用いてそのうち２本の電線を相手側コネクタと接続するものとし、それ以外の１本の電線をアース用電線としてもよい。
【００５０】
（２）上記実施形態によれば、４芯ケーブル１０を用いてそのうち２本の電線１１Ａを相手側コネクタと接続するものとし、それ以外の２本の電線１１Ｂをアース用電線１１Ｂとしたが、これに限らず、例えば、４芯ケーブルのうち３本の電線を相手側コネクタと接続するものとし、それ以外の１本の電線をアース用電線としてもよい。
【００５１】
（３）上記実施形態によれば、ケーブル保持部４８の両側にアース線保持壁４９を設けたが片側のみに設けたものであってもよい。また、この片側のみに設けたアース線保持壁により形成される一のアース線収容部に、複数本のアース用電線を収容するようにしてもよい。
【００５２】
（４）上記実施形態によれば、アース線収容部５１は下方へ開放される形態とされているが、これに限らず、例えば側方へ開放される形態としてもよい。
【００５３】
（５）上記実施形態によれば、本発明を、ハウジング２１から引き出されたケーブル１０を２度折り返して後方へ誘導する形態のカバー４０に適用したが、本発明は、ケーブルの折り返しやその誘導方向に関してどのような形態のカバーであっても適用することができる。
【図面の簡単な説明】
【００５４】
【図１】実施形態１にかかるカバー付きコネクタの側断面図
【図２】カバーの正面図
【図３】図２のＡ−Ａ断面図
【図４】図２のＢ−Ｂ断面図
【図５】カバーの下面図
【図６】カバー付きコネクタの正面図
【図７】同背面図
【図８】同上面図
【図９】アース用電線が屈曲された状態を表すカバー付きコネクタの一部切欠き下面図
【図１０】実施形態２にかかるカバー付きコネクタの側断面図
【図１１】カバーの正面図
【図１２】同側面図
【符号の説明】
【００５５】
１０…ケーブル
１１…絶縁電線
１１Ｂ…アース用電線
２０…コネクタ
４０…カバー
４６…仕切り壁
４８…ケーブル保持部
４９…アース線保持壁
５１…アース線収容部
５２，６０…蓋部
５４…ロック片（ロック部）
５５…ロック突条（ロック部）
５７…突起部
６１…補強リブ
【図１】
0005012350.tif 000002
【図２】
0005012350.tif 000003
【図３】
0005012350.tif 000004
【図４】
0005012350.tif 000005
【図５】
0005012350.tif 000006
【図６】
0005012350.tif 000007
【図７】
0005012350.tif 000008
【図８】
0005012350.tif 000009
【図９】
0005012350.tif 000010
【図１０】
0005012350.tif 000011
【図１１】
0005012350.tif 000012
【図１２】
0005012350.tif 000013